(57)【要約】【課題】  空ドラムを有効利用して環境保護に貢献すると共に再利用品の生産管理を適切に行うこと。【解決手段】  空ドラム識別情報ごとに再利用可能品目を主部品と副部品とに分けて記憶する再利用情報保存手段と、需要情報を入力する需要情報入力手段と、需要情報に基づいて再利用品目ごとに生産数量を演算する生産計画演算手段と、該演算結果と再利用可能品目の主部品情報に基づいて、空ドラムの再利用品目を決定する判定手段とを備える。【選択図】      図１
2005135353.tif 000002
【特許請求の範囲】
【請求項１】
空ドラム識別情報ごとに再利用可能品目を主部品と副部品とに分けて記憶する再利用情報保存手段と、
需要情報を入力する需要情報入力手段と、
前記需要情報に基づいて再利用品目ごとに生産数量を演算する生産計画演算手段と、
該演算結果と前記再利用可能品目の主部品情報に基づいて、空ドラムの再利用品目を決定する判定手段と、
を備えたことを特徴とする空ドラム利用管理システム。
【請求項２】
前記判定手段は、空ドラムの再利用可能品目数によって、優先順位を付け、該優先順位によって再利用品目を決定することを特徴とする請求項１記載の空ドラム利用管理システム。
【請求項３】
前記需要情報入力手段は、空ドラムの加工業者の属する地域ごとの需要情報を入力し、
前記生産計画演算手段は、当該地域ごとに生産数量を演算することを特徴とする請求項１または２記載の空ドラム利用管理システム。
【請求項４】
空ドラムを円筒軸上、該空ドラム内の補強板の繋ぎ目にそって半分に切断して同じ半円筒形状の２部材となし、該半円筒形状部材の開口部が上向きになるように該半円筒形状部材に前記補強板の直線部を下側に向けて固定することによってプランターとして使用可能にしたことを特徴とする空ドラムの利用方法。
【請求項５】
前記半円筒形状部材の各半円板部外郭に沿って前記補強板の取り付け箇所を複数設け、この各半円板部外郭に設けられた複数の取り付け箇所のうち、一の取付箇所に前記補強板を取り付けることによって前記半円筒形状部材の開口部の傾斜角度を調整可能にしたことを特徴とする請求項４記載の空きドラムの利用方法。
【発明の詳細な説明】
【技術分野】
【０００１】
本発明は、廃棄対象の電線ドラム（空ドラム）を再利用する技術に係り、特に空ドラムを加工して他用途に使用する際に効率的に空ドラムの部材を利用することのできる空ドラム利用管理システムおよび空ドラムの利用方法に関する。
【背景技術】
【０００２】
電力、通信業界では、工事に伴い大量の電線・ケーブルを使用しており、このため大量の空ドラム（電線布設後の不要となったドラム）が発生している。金属性の空ドラムや大型のドラムについては、メーカに返却して再利用しているものもあるが、大半は産業廃棄物として処分されている。
近時、電線ドラムの再利用に関しては、個々の製品ドラム、空ドラムの種類、数量等を迅速に管理し、そのドラムの過去の利用回数、利用場所等が判断でき、その判断を利用して、次にどういった利用環境で再利用するか、再生処理をするか、若しくは廃棄するかを判断するドラムリサイクルを目的としたドラム管理システムなどが提案されている。（たとえば、特許文献１を参照）
【特許文献１】特開２００３−２０６０２６号公報
【発明の開示】
【発明が解決しようとする課題】
【０００３】
ところで、廃棄対象の空ドラムに加工を施して再利用する場合、できるだけ廃材を出さずに再利用することが望まれている。特に、再利用に際して、空ドラムの一部が破損しているような場合は、どのような品物（再利用品）に加工するかという問題があり、需要との兼ね合いで適切に管理する必要がある。また、再利用品の用途によっては、その一部のみが寿命品である場合もあり、この寿命品をどのように供給するかという問題もある。
【０００４】
本発明は、上記問題に対処するためになされたもので、空ドラムを有効利用して環境保護に貢献すると共に再利用品の生産管理を適切に行うことのできる空ドラム利用管理システムおよび空ドラムの利用方法を提供することを目的とする。
【課題を解決するための手段】
【０００５】
上記目的を達成するため、本発明の空ドラム利用管理システムは、空ドラム識別情報ごとに再利用可能品目を主部品と副部品とに分けて記憶する再利用情報保存手段と、需要情報を入力する需要情報入力手段と、前記需要情報に基づいて再利用品目ごとに生産数量を演算する生産計画演算手段と、該演算結果と前記再利用可能品目の主部品情報に基づいて、空ドラムの再利用品目を決定する判定手段とを備えたことを特徴とする。
【０００６】
空ドラムの破損状況によって、どの品目に再利用可能かを主部品と副部品に分けて記憶し、主部品情報を参照して個々の空ドラムをどの品目に加工するかを決定することにより空ドラムの再利用可能な部分を効果的に使用し需要に合った生産が可能になる。
ここで、「生産数量を演算する」とは、需要情報に基づいて生産数量を予測演算する場合の他、受注生産の場合は、需要情報と生産数量が１対１の関係にあるが、この様な場合も含む趣旨である。
【０００７】
好ましくは、前記判定手段は、空ドラムの再利用可能品目数によって、優先順位を付け、該優先順位によって再利用品目を決定するようにするとよい。限られた品目にしか使用できない空ドラムについては、優先順位（優先度情報）を高くして、該ドラムをその利用品目に使用することによって、需要に合った品目の生産管理が可能となる。
より好ましくは、前記需要情報入力手段は、空ドラムの加工業者の属する地域ごとの需要情報を入力し、前記生産計画演算手段は、当該地域ごとに生産数量を演算することを特徴とする。空ドラムの加工業者の属する地域ごとに需要を把握して、該地域ごとに生産数量を演算することによって、空ドラムの輸送コストを抑制することができる。
【０００８】
また、本発明の空ドラムの利用方法は、空ドラムを円筒軸上、該空ドラム内の補強板の繋ぎ目にそって半分に切断して同じ半円筒形状の２部材となし、該半円筒形状部材の開口部が上向きになるように該半円筒形状部材に前記補強板の直線部を下側に向けて固定することによってプランターとして使用可能にしたことを特徴とする。
上記の方法でプランターを製造することにより、廃棄物である空ドラムを簡単な加工によってプランターとして利用することができる。特に、空ドラムの補強板をプランターの固定用に使用するため、廃棄部材を出さず円形で不安定なプランターを安定させることができる。
【０００９】
なお、円筒形状とは、図８に示すような円筒部Ａと上下面が該円筒部よりやや直径の長い幅広の円板部Ｂよりなる形状を意味する。また、半円筒形状とは、図１０に示すように、図８の円筒形状の部材を円筒の中心軸に沿って半分に切断した一部材の形状をいう。
上向きとは、横あるいは下向きに対する意味で、真上を向いている場合の他、設置面に対して、所定の角度をもって上に向いていれば足りる趣旨である。
【００１０】
好ましくは、前記半円筒形状部材の各半円板部外郭に沿って前記補強板の取り付け箇所を複数設け、この各半円板部外郭に設けられた複数の取り付け箇所のうち、一の取付箇所に前記補強板を取り付けることによって前記半円筒形状部材の開口部の傾斜角度を調整可能にするとよい。
これによって、プランターを任意の傾斜角度に設定することができる。
【００１１】
また、本発明の空ドラムの利用方法は、空ドラムの一円板部略中央に調理器具取り付け可能な穴を開け、前記空ドラム円筒部側面を構成する複数の直方体状板のうち一部を取り外して、前記空ドラム内部の補強板上に調理器具を配置可能にすることによってテーブルとして使用可能にしたことを特徴とする。
なお、直方体状板を取り外したところに、開き戸を取り付けて円筒部の内部に収納した調理器具を外から見えないように遮蔽可能にしてもよい。
【００１２】
さらに、本発明の空ドラムの利用方法は、空ドラムの円板部を該円板部が設置面に対して垂直に安定するように略直線上に切断し、前記空ドラム円筒部側面を構成する複数の直方体状板のうち設置したときに下側となる半分を取り外して、上側直方体状板と連続となるように垂直方向に直方体状板を取り付けた後に出入り口となる穴を開け、直方体状板を設置面から所定の間隔をもって水平方向に取り付け床を構成することによって犬小屋として使用可能にしたことを特徴とする。
なお、上記の利用方法に係る発明は、実質的に夫々の再利用品の製造方法に関する発明であることは明白である。
【発明の効果】
【００１３】
本発明によれば、空ドラムを有効利用して環境保護に貢献すると共に再利用品の生産管理を適切に行うことが可能となる。
【発明を実施するための最良の形態】
【００１４】
以下、本発明の実施の形態による空ドラム利用管理システムについて図１ないし図２を用いて説明する。
【００１５】
図１は、本実施の形態に係わる空ドラム利用管理システム、および、通信ネットワークを介してこれと繋がる加工業者サーバ、営業所端末の機能ブロック図である。
ここで、空ドラム利用管理システム１は、加工業者サーバ２あるいは営業所端末３とデータの送受信を行う送受信部１１、空ドラムの利用に関する演算を行う中央演算処理部１２、受注情報や空ドラムに関する種々の情報を保存する記憶部１３、データを入力するキーボード等の入力部１４、および、データを出力する表示装置あるいはプリンタ等の出力部１５から構成されている。
【００１６】
また、中央演算処理部１２は、送受信部１１とのデータの受け渡しを行う送受信処理手段（機能）１２１、入力部１４または出力部１５とデータの受け渡しを行う入出力手段（機能）１２２、空ドラムの再利用のしかたを品目ごとに登録する基本情報登録手段（機能）１２３、加工業者サーバ２から送られてくる空ドラムごとの再利用可能情報を保存する再利用情報保存手段（機能）１２４、営業所端末３から送られてくる受注情報を保存する受注情報入力手段（機能）１２５、受注情報に基づいて生産数量を演算する生産計画演算手段（機能）１２６、個々の空ドラムに対してどのような品目に加工するかを判定する判定手段（機能）１２７、この判定結果を加工業者サーバ２へ送信する出力手段（機能）１２８を有している。
【００１７】
次に、空ドラム利用管理システム１の動作を説明する。
まず、入力部１４から空ドラムの再利用のしかたに関する基本情報を入力すると、入出力手段１２２および基本情報登録手段１２３を介して記憶部１３の基本情報データベース（ＤＢ）１３１に保存される。図２は、基本情報ＤＢ１３１の再利用品目テーブルのデータ構成例である。再利用品目ごとに主部品と副部品に分けられて保存されている。たとえば、プランターの場合は、主部品として、半円筒形状の部材を特定する情報、副部品としてプランターを安定して設置するための補強板を特定する情報、これらの必要数量、および、空ドラムからプランターを製造する加工方法に関する情報などが保存されている。主部品か副部品かは、部材の大きさによって決められるが、代替品入手の難易度のような重要度によって決めるようにしてもよい。あるいは、寿命品を副部品とし、そうでないものを主部品として管理するようにしてもよい。また、基本情報ＤＢ１３１は図３に示す優先度情報テーブルを有している。空ドラムの再利用可能品目数によって優先度付けされている。
【００１８】
空ドラムは、加工業者に送られ、加工業者によって空ドラムの破損状況から、どのような品目に再利用可能かを判断され、加工業者サーバ２の入力部２４を介して、再利用可能品目情報が主部品、副部品ごとに入力される。この情報は、通信ネットワーク５を介して空ドラム利用管理システム１に送られ、再利用情報保存手段１２４によって、記憶部１３の空ドラム情報データベース（ＤＢ）１３２に保存される。図４は、空ドラム情報ＤＢ１３２のデータ構成例である。ここで、回収した空ドラムごとに識別情報（ＩＤ）が付され、再利用可能品目の主部品か副部品かという部品種別ごとに利用可能な個数が登録される。たとえば、ＩＤ０００１の空ドラムについて、補強板の一部のみが腐食しているものの他の部材は再利用可能であるとした場合、プランターの副部品１ａの利用可能個数は、腐食した補強板を除いた３個となっている。両端に円板の付いた円筒形状部材（以下、単に円筒形状部材という）は、そのまま利用可能であり、円筒形状部材から主部品１（円筒形状部材を円筒中心軸に沿って２つに切断したもの）を２個採取できるため、主部品１の利用可能個数は２となっている。
【００１９】
また、テーブルとして利用する場合は、補強板に腐食が有ると、調理器具を載せる内部の板として利用はできないため、副部品２ａの利用可能個数は０となっている。
犬小屋として補強板は、利用しないため、主部品３である犬小屋の両側面の円板部材の個数は２、屋根や前後面および床の部品となる直方体状部材の利用可能個数は１２となっている。なお、犬小屋における補強板など、その品物の製造に使用しない部品があれば、余剰部品として、識別管理して利用可能個数を記憶するようにしてもよい。このようにすれば、他の品物の部品や寿命品などのストック数量を管理あるいは予測することができる。
【００２０】
一方、営業所端末３から送られてくる受注情報は、受注情報入力手段１２５によって、受注情報データべース（ＤＢ）１３３に保存される。受注情報ＤＢには、図示しない地域ごと品物ごと季節ごとイベントごと等の注文数量が記憶されている。
そして、生産計画演算手段１２６は、受注情報に基づいて品物ごとに生産計画を演算する。また、総生産数量を予測して、地域ごとに存在する加工業者のサーバ２へ通知する。
【００２１】
次に、判定手段１２７の動作を図５のフローチャートを用いて説明する。判定手段１２７は、起動されると、生産計画演算手段１２６によって計算された地域ごと等の生産すべき品物（再利用品目）および生産数量の指示を入力する（Ｓ１０１）。そして、空ドラム情報ＤＢ１３２を参照して、生産すべき品物を製造するために再利用可能な空ドラムＩＤを抽出する（Ｓ１０２）。抽出した空ドラムＩＤの個数が指示された生産数量よりも多いか否かを判定して（Ｓ１０３）、「Ｎｏ」すなわち指示された生産数量以下の場合は、抽出された空ドラムＩＤに該当する空ドラムを加工対象とする（Ｓ１０５）。一方、「Ｙｅｓ」すなわち指示された生産数量より多い場合は図３に示す優先度情報を参照して、加工すべき空ドラムＩＤを選択する（Ｓ１０４）。たとえば、優先度が高い（優先度情報１）空ドラムＩＤは、優先して加工対象となり、以下、優先度が２，３・・・の順に加工対象とする。同一の優先度で加工対象の有無を判定する場合は、該当するドラムの製造時期か老朽化の度合いなどによって決められる。そして、選択された空ドラムＩＤに該当する空ドラムを加工対象とする。続いて、出力手段１２８を介して、空ドラムＩＤに対応する空ドラムを加工する業者のサーバ２へ加工指示を送出する（Ｓ１０６）。
加工業者は、加工業者サーバ２に送られてくる空ドラムＩＤと再利用品目情報をもとに空ドラムを加工する。
【００２２】
本実施の形態によれば、個々の空ドラムごとに再利用可能品目を主部品と副部品に分けて採取可能な個数を管理するため、一部破損等によって利用不可能な部分があっても適切な再利用品として製造することが可能となる。また、加工業者のサーバから個々の空ドラムごとに利用可能品目情報を収集して、また、空ドラムと品目を特定して製造指示を出すため、生産計画に沿った適切な再利用が可能となる。さらに、加工業者を地域ごとに設け、地域の受注情報をもとに生産計画を立てるようにすれば、空ドラムや再利用品の輸送費を削減することができる。
【実施例１】
【００２３】
次に、本発明の実施例による空ドラムの利用方法を説明する。
図６は、本実施例に係わる空ドラムを利用したプランターの使用状態の説明図である。プランターは半円板上の部材により容易に傾斜をさせることができ、傾斜をさせた開口部に花を植えた植木鉢が置かれている。また、プランターは他の部材により一定の傾斜角をもって固定させることができる。
【００２４】
このプランターは、空ドラムを用いて製造される。なお、空ドラムは、図７のごとく、円柱形状部Ａに、中心軸を同じくしてその直径よりも長い直径を有する２つの円板部Ｂを有している。これを、中心軸に沿って２つに切断することによって、図６のような、プランターとなるのである。
【００２５】
以下、プランターの製造方法を詳述する。まず、空ドラムを円柱形状部の中心軸すなわち図８の点線の方向に切断する。その際円柱形状部Ａ面の木のつなぎ目とドラム内にある４枚の補強板Ｃのつなぎ目に電気ノコギリの歯をセットして中心軸に沿って切断を行う。図９にＤ−Ｄ切断面を示す。ここで、空ドラムは内部に補強板Ｃを有しているが、補強板Ｃは、取り出し後この形のまま使用できるように不要な釘を取り除く。そして、電気ノコギリを用いて、上述のごとく補強板のつなぎ目すなわち図９の点線に沿って切断する。なお、切断後、切断面にはカンナをかけてバリ等を除去するようにするとよい。
次にプランターを固定するために補強板Ｃを図１０のように半円板部Ｂに取り付ける。このとき、半円板部Ｂには、補強板取り付け用の穴を一定の間隔で開けるようにするとよい。補強板の取り付け位置を変えることによってプランターを任意の角度で接地することができるからである。
仕上げとして、バーナーで全体に焼き目をつけ、水洗いをして仕上げる。なお、空ドラムの材質により油を塗った後やすりをかけると木目がいっそう映えてくる場合がある。
【００２６】
本実施例によれば、空ドラムの部材を用いてプランターを製造することができるため、環境保護を推進することができる。特に、このプランターは接地部分が円弧状をなしているため、容易に傾けることができ、空ドラム内部の補強板を用いて一定の傾斜を保ったまま安定させることができる。
【実施例２】
【００２７】
次に、本発明の他の実施例による空ドラムの利用方法を説明する。図１１は、本実施例に係わる空ドラムを利用したテーブルの使用状態の説明図である。
空ドラムの一つの円板部Ｂのほぼ中央に調理器具取り付け可能な穴が開けられ、調理器具が取り付けられている。また、テーブルの柱をなす直方体上の部材が一部外されており、内部の仕切り（補強板）上に七輪などの調理器具が配置可能になっている。
【実施例３】
【００２８】
さらに、本発明の他の実施例による空ドラムの利用方法を説明する。図１２は、本実施例に係わる空ドラムを利用した犬小屋の使用状態の説明図である。
空ドラムの円板部Ｂを、この円板部が設置面に対して垂直になるように直線上に切断する。そして、空ドラム円筒部側面Ａを構成する複数の直方体状板のうち設置したときに下側となる半分を取り外して、上側直方体状板と連続となるように垂直方向に直方体状板を取り付ける。そして犬の出入り口となる穴を開ける。また、直方体状板を設置面から一定の間隔（数ｃｍ）をもって水平方向に取り付けて床を構成する。
【００２９】
上記各実施例に拠れば、空ドラムの部材を効率的に使用して他の品物を製造することができるため、廃材の量を削減でき環境保護に貢献することができる。
【図面の簡単な説明】
【００３０】
【図１】本発明の実施の形態による空ドラム利用管理システム、および、通信ネットワークを介して繋がる加工業者サーバ、営業所端末の機能ブロック図
【図２】図１の基本情報ＤＢに保存されている再利用品目テーブル
【図３】図１の基本情報ＤＢに保存されている優先度テーブル
【図４】図１の空ドラム情報ＤＢの再利用可能部品テーブルの説明図、図４（ａ）は空ドラムＩＤ０００１の再利用可能部品テーブル、図４（ｂ）は空ドラムＩＤ０００２の再利用可能部品テーブル
【図５】図１の判定手段のフローチャート
【図６】本発明の実施例１による空ドラムを利用したプランターの使用状態の説明図
【図７】本発明の実施例１による空ドラムの外形斜視図
【図８】本発明の実施例１による空ドラムの加工方法の説明図
【図９】図８のＤ−Ｄ線断面図
【図１０】本発明の実施例１によるプランターへの補強板取付方法の説明図
【図１１】本発明の実施例２による空ドラムを利用したテーブルの外形斜視図
【図１２】本発明の実施例３による空ドラムを利用した犬小屋の使用状態の説明図
【符号の説明】
【００３１】
１  空ドラム利用管理システム
２  加工業者サーバ
３  営業所端末
５  通信ネットワーク
１１，２１  送受信部
１２，２２  中央演算処理部
１３，２３  記憶部
１４，２４  入力部
１５，２５  出力部
１２１  送受信処理手段
１２２  入出力手段
１２３  基本情報登録手段
１２４  再利用情報保存手段
１２５  受注情報入力手段
１２６  生産計画演算手段
１２７  判定手段
１２８  出力手段
１３１  基本情報ＤＢ
１３２  空ドラム情報ＤＢ
１３３  受注情報ＤＢ
【図１】
2005135353.tif 000003
【図２】
2005135353.tif 000004
【図３】
2005135353.tif 000005
【図４】
2005135353.tif 000006
【図５】
2005135353.tif 000007
【図７】
2005135353.tif 000008
【図９】
2005135353.tif 000009
【図１０】
2005135353.tif 000010
【図６】
2005135353.tif 000011
【図８】
2005135353.tif 000012
【図１１】
2005135353.tif 000013
【図１２】
2005135353.tif 000014